(57)【要約】【課題】薄型で携帯性に優れたペーパーライクな表示装置を提供すること。【解決手段】表示装置(100)は操作デバイス(1)と表示体(2)を備える。操作デバイスは、操作部(12)を用いて行われた指示入力の内容に対応するコマンドと電力発生源(11)が発生した電力とを電磁波として送信するための信号を生成し、当該信号に基づいて第１アンテナ(13)から電磁波を外部へ発信する。表示体は、操作デバイスから発信された電磁波を第２アンテナ(22)により受信し、当該電磁波を復調することによってコマンドを復元するとともに、当該電磁波を用いて電力を生成して各部へ電力供給を行う。表示体の第２コントローラ(23)は、予め蓄積されたデータをメモリから読み出し、コマンドの内容に応じた画像を表示させるための画像データを生成する。表示体のドライバ(23)は、第２コントローラによって生成された画像データに基づいてパネル(21)を駆動する。【選択図】図１
2010033146.tif 000002
【特許請求の範囲】
【請求項１】
相互に分離した操作デバイスと表示体を備えた表示装置であって、
前記操作デバイスは、
電力を発生する電力発生源と、
指示入力に用いられる操作部と、
前記操作部を用いて行われた前記指示入力の内容に対応するコマンドを生成するとともに、前記電力発生源が発生した前記電力を受け取る第１コントローラと、
前記第１コントローラから前記コマンド及び前記電力を受け取り、当該コマンド及び電力を電磁波として送信するための信号を生成する送信回路と、
前記送信回路から出力される前記信号に基づいて電磁波を外部へ発信する第１アンテナと、
を含み、
前記表示体は、
パネルと、
前記パネルに画像を表示させるために必要なデータを蓄積するメモリと、
前記操作デバイスの前記第１アンテナから発信される前記電磁波を受信する第２アンテナと、
前記アンテナによって受信された前記電磁波を復調することによって前記コマンドを復元する復調回路と、
前記メモリから前記データを読み出すとともに前記復調回路から前記コマンドを受け取り、当該コマンドの内容に応じた画像を表示させるための画像データを生成する第２コントローラと、
前記第２コントローラによって生成された前記画像データに基づいて前記パネルを駆動するドライバと、
前記第２アンテナによって受信された前記電磁波を用いて電力を生成し、前記メモリ、前記復調回路、前記第２コントローラ及び前記ドライバの各々に対して電力供給を行う電源回路と、
を含む、表示装置。
【請求項２】
前記操作デバイスの形状が棒状である、
請求項１に記載の表示装置。
【請求項３】
前記パネルが電気泳動パネルである、
請求項１又は２に記載の表示装置。
【請求項４】
前記メモリが不揮発性メモリである、
請求項１乃至３の何れか１項に記載の表示装置。
【請求項５】
相互に分離した操作デバイスと表示体を備えた表示装置であって、
前記操作デバイスは、
電力を発生する電力発生源と、
前記電力発生源が発生した前記電力を受け取り、当該電力を電磁波として送信するための信号を生成する送信回路と、
前記送信回路から出力される前記信号に基づいて電磁波を外部へ発信する第１アンテナと、
を含み、
前記表示体は、
パネルと、
前記パネルに画像を表示させるために必要なデータを蓄積するメモリと、
前記操作デバイスの前記第１アンテナから発信される前記電磁波を受信する第２アンテナと、
少なくとも一部が前記第２アンテナと平面視において重なる位置に設けられた操作部と、
前記メモリから前記データを読み出すとともに前記操作部を用いて行われた指示入力を受け取り、当該指示入力の内容に応じた画像を表示させるための画像データを生成するコントローラと、
前記コントローラによって生成された前記画像データに基づいて前記パネルを駆動するドライバと、
前記第２アンテナによって受信された前記電磁波を用いて電力を生成し、前記メモリ、前記コントローラ及び前記ドライバの各々に対して電力供給を行う電源回路と、
を含む、表示装置。
【請求項６】
前記操作デバイスは、前記表示体に設けられた前記操作部への接触を検出する検出部を更に含み、
前記検出部によって接触が検出された場合に、前記送信回路が前記信号を生成し、当該信号に基づいて前記第１アンテナが電磁波を外部へ発信する、
請求項５に記載の表示装置。
【請求項７】
前記操作デバイスが棒状体であり、前記検出部が前記棒状体の一端に設けられた、
請求項６に記載の表示装置。
【請求項８】
前記パネルが電気泳動パネルである、
請求項５乃至７の何れか１項に記載の表示装置。
【請求項９】
前記メモリが不揮発性メモリである、
請求項５乃至７の何れか１項に記載の表示装置。
【発明の詳細な説明】
【技術分野】
【０００１】
本発明は、電気泳動装置等の電気光学装置を用いて構成される表示装置に関する。
【背景技術】
【０００２】
薄型で携帯性に優れたペーパーライクな表示装置を実現する手段の一つとして、電気泳動パネルが注目されている。しかし、電気泳動パネルを用いた表示装置において電源供給部として電池を用いた場合には、電池の厚さや重量により表示装置の薄型化および軽量化が妨げられるという不都合がある。これに対して、電源供給部として二次電池を搭載することによって電源供給部の小型化を図ることも考えられるが、その場合でも二次電池自体の厚みにより表示装置の薄型化が制約される。更に、二次電池を搭載した場合には頻繁な充電が必要となる不都合もある。
【０００３】
このような従来技術の課題に対して、例えば特開２００３−２１６１１１号公報（特許文献１）には、ＲＦＩＤ（Radio Frequency Identification）技術と電気泳動パネルとを組み合わせた表示装置が提案されているが、十分な実用化には至っていない。実用化を妨げる要因の１つとして、ＲＦＩＤ技術によって実現可能な通信速度に対して電気泳動パネルに表示させるための画像データが大きすぎるため、実用的な時間で画像データを送信することが困難であることが挙げられる。例えば、ＲＦＩＤ技術によって実現可能な通信速度は100kbps程度である一方で、画像データのデータ量は例えば数メガビット程度になるため、１つの画像データを送信して電気泳動パネルの表示が切り替わるまでに数十秒間程度の時間が必要となる。これは、例えば電子書籍のページ切り替えを行う際に１ページ切り替える毎に数十秒間を要することを意味する。このため、画像データを送信する装置とこれを受信する表示装置とをＲＦＩＤ技術による通信が可能な距離内に保った状態で数十秒間待機しなければならない。多くのページを含んだ電子書籍のようなコンテンツを閲覧する用途を考えた場合には、このような待機時間は実用的ではない。これに対し、より高出力かつ高速（広帯域）な無線通信を利用することも技術的には考えられるが、無線通信の利用に関しては各国で厳しく課せられた法律に準拠する必要があるため現実的には非常に実現が難しい。
【０００４】
【特許文献１】特開２００３−２１６１１１号公報
【発明の開示】
【発明が解決しようとする課題】
【０００５】
本発明に係る具体的態様は、上述したような従来技術の課題を解決し、薄型で携帯性に優れたペーパーライクな表示装置を提供することを一つの目的とする。
【課題を解決するための手段】
【０００６】
本発明に係る一態様の表示装置は、相互に分離した操作デバイスと表示体を備えた表示装置であって、以下の構成を備える。前記操作デバイスは、（ａ）電力を発生する電力発生源と、（ｂ）指示入力に用いられる操作部と、（ｃ）前記操作部を用いて行われた前記指示入力の内容に対応するコマンドを生成するとともに、前記電力発生源が発生した前記電力を受け取る第１コントローラと、（ｄ）前記第１コントローラから前記コマンド及び前記電力を受け取り、当該コマンド及び電力を電磁波として送信するための信号を生成する送信回路と、（ｅ）前記送信回路から出力される前記信号に基づいて電磁波を外部へ発信する第１アンテナと、を含む。前記表示体は、（ｆ）パネルと、（ｇ）前記パネルに画像を表示させるために必要なデータを蓄積するメモリと、（ｈ）前記操作デバイスの前記第１アンテナから発信される前記電磁波を受信する第２アンテナと、（ｉ）前記第２アンテナによって受信された前記電磁波を復調することによって前記コマンドを復元する復調回路と、（ｊ）前記メモリから前記データを読み出すとともに前記復調回路から前記コマンドを受け取り、当該コマンドの内容に応じた画像を表示させるための画像データを生成する第２コントローラと、（ｋ）前記第２コントローラによって生成された前記画像データに基づいて前記パネルを駆動するドライバと、（ｌ）前記第２アンテナによって受信された前記電磁波を用いて電力を生成し、前記メモリ、前記復調回路、前記第２コントローラ及び前記ドライバの各々に対して電力供給を行う電源回路と、を含む。
【０００７】
上述した表示装置によれば、操作デバイスを表示体の第２アンテナ付近へ近づけた状態で操作部を用いて操作を行うことにより、操作デバイスから表示体へ向けてコマンド（例えばページ送り／戻し等）と電力が供給される。それにより、表示体には電池等の電源発生部を設ける必要がなく、表示体を薄型、軽量に構成することが可能となる。また、表示体のメモリに画像表示のためのデータ（例えば電子書籍等のコンテンツデータ）を予め蓄積しておき、操作デバイスからは極少ないデータ量（例えば数ビット）で済むコマンドを送信して画像の表示内容をコントロールする構成としているので、高出力かつ高速な無線通信を用いずとも短時間で表示内容の切り替えを実行することが可能となる。以上のことから、本発明によれば薄型で携帯性に優れたペーパーライクな表示装置を提供することが可能となる。
【０００８】
上述した操作デバイスは、例えば棒状の形状を有する。望ましい態様の一例としては、一端が尖ったペン状に操作デバイスを成形することが挙げられる。
【０００９】
それにより、利用者が手に持ち、表示体の第２アンテナ付近へ近づけた状態で使用する際の操作性がより高まる。
【００１０】
上述したパネルとしては、例えば電気泳動パネルが好適に用いられる。
【００１１】
電気泳動パネルは他の表示パネル（液晶パネル、ＥＬパネル等）に比較して消費電力が低いことから、操作デバイスから供給する電力を低減することができる。また、画像を一定期間保持可能であるため、操作デバイスからの電源供給が途切れた後も表示を持続できる。また、表示体のフレキシブル化の観点からも好ましい。
【００１２】
上述した表示体のメモリは、不揮発性メモリであることが好ましい。
【００１３】
それにより、操作デバイスからの電力供給が途切れた後も画像表示のためのデータを容易に蓄積しておくことができる。
【００１４】
本発明に係る他の態様の表示装置は、相互に分離した操作デバイスと表示体を備えた表示装置であって、以下の構成を備える。前記操作デバイスは、（ａ）電力を発生する電力発生源と、（ｂ）前記電力発生源が発生した前記電力を受け取り、当該電力を電磁波として送信するための信号を生成する送信回路と、（ｃ）前記送信回路から出力される前記信号に基づいて電磁波を外部へ発信する第１アンテナと、を含む。前記表示体は、（ｄ）パネルと、（ｅ）前記パネルに画像を表示させるために必要なデータを蓄積するメモリと、（ｆ）前記操作デバイスの前記第１アンテナから発信される前記電磁波を受信する第２アンテナと、（ｇ）少なくとも一部が前記第２アンテナと平面視において重なる位置に設けられた操作部と、（ｈ）前記メモリから前記データを読み出すとともに前記操作部を用いて行われた前記指示入力を受け取り、当該指示入力の内容に応じた画像を表示させるための画像データを生成するコントローラと、（ｉ）前記コントローラによって生成された前記画像データに基づいて前記パネルを駆動するドライバと、（ｊ）前記第２アンテナによって受信された前記電磁波を用いて電力を生成し、前記メモリ、前記コントローラ及び前記ドライバの各々に対して電力供給を行う電源回路と、を含む。
【００１５】
上述した表示装置によれば、利用者が操作デバイスを用いて表示体の操作部を押下する等の操作を行うことに伴い、利用者が特に意識しなくとも、操作デバイスを表示体の第２アンテナ付近へ近づけた状態で操作デバイスから表示体へ向けて電力が供給される。それにより、表示体には電池等の電源発生部を設ける必要がなく、表示体を薄型、軽量に構成することが可能となる。また、表示体のメモリに画像表示のためのデータ（例えば電子書籍等のコンテンツデータ）を予め蓄積しておき、操作部を用いて入力された指示入力に応じて画像の表示内容をコントロールする構成としているので、高出力かつ高速な無線通信を用いずとも短時間で表示内容の切り替えを実行することが可能となる。以上のことから、本発明によれば薄型で携帯性に優れたペーパーライクな表示装置を提供することが可能となる。
【００１６】
好ましくは、前記操作デバイスは、前記表示体に設けられた前記操作部への接触を検出する検出部を更に含み、前記検出部によって接触が検出された場合に、前記送信回路が前記信号を生成し、当該信号に基づいて前記第１アンテナが電磁波を外部へ発信する、
【００１７】
それにより、操作デバイスが表示体の操作部に接触したことをトリガとして必要なときだけ電力を送信することができるので、消費電力をより低減することが可能となる。
【００１８】
上述した操作デバイスは、例えば棒状の形状を有する。望ましい態様の一例としては、一端が尖ったペン状に操作デバイスを成形することが挙げられる。この場合に、前記検出部は前記棒状体の一端に設けられることが好ましい。
【００１９】
それにより、利用者が手に持ち、表示体の第２アンテナ付近へ近づけた状態で使用する際の操作性がより高まる。また、棒状の操作デバイスの一端に押しボタン式などの検出部を設けることにより、操作デバイスの一端を表示体の操作部に接触させたことを検出するための構造を簡素化でき、かつ利用者により自然な操作感を与えることができる。
【００２０】
上述したパネルとしては、例えば電気泳動パネルが好適に用いられる。
【００２１】
電気泳動パネルは他の表示パネル（液晶パネル、ＥＬパネル等）に比較して消費電力が低いことから、操作デバイスから供給する電力を低減することができる。また、画像を一定期間保持可能であるため、操作デバイスからの電源供給が途切れた後も表示を持続できる。また、表示体のフレキシブル化の観点からも好ましい。
【００２２】
上述した表示体のメモリは、不揮発性メモリであることが好ましい。
【００２３】
それにより、操作デバイスからの電力供給が途切れた後も画像表示のためのデータを容易に蓄積しておくことができる。
【発明を実施するための最良の形態】
【００２４】
以下、本発明の実施形態について図面を参照しながら説明する。なお、以下に示す内容は本発明の実施形態を例示するものであり、本発明の適用範囲をこれらの実施形態にのみ限定するものではない。
【００２５】
（第１の実施形態）
図１は、第１の実施形態の表示装置の全体構成を示す模式図である。図１に示すように、本実施形態に係る表示装置１００は、相互に分離している操作デバイス１と表示体２を含んで構成されている。操作デバイス１は、ペン状（棒状）に形成されており、利用者が手に持って用いる。この操作デバイス１は、バッテリー（電池）１１、操作部１２、アンテナ（コイル）１３、制御回路１４などを備えている。利用者が操作デバイス１を表示体２のアンテナ２２の設置位置に近づけながら操作部１２を用いて動作指示を与えることにより、この動作指示に対応するコマンドと電池１１が発生する電力が制御回路１４によりアンテナ１３を介して表示体２へ供給される。表示体２は、電気泳動パネル２１を用いて構成されたフレキシブルなものであり、アンテナ（コイル）２２を介して操作デバイス１から制御回路２３に対してコマンド及び電力の供給を受けて種々の画像を表示する。なお、表示体２は、フレキシブルなものに限られず、一定の硬度を有し、外力あるいは自重に対して変形しない構成であってもよい。
【００２６】
図２は、操作デバイス１の詳細構成を示すブロック図である。図２に示すように、操作デバイス１は、バッテリー１１、操作部（ＵＩボタン）１２、アンテナ１３、電源回路１５、コントローラ１６、送信回路１７、復調回路１８を含んで構成されている。電源回路１５、コントローラ１６、送信回路１７及び復調回路１８が上述した制御回路１４に対応する。
【００２７】
バッテリー１１は、操作デバイス１の筐体内に収容される。バッテリー１１としては、例えば乾電池を利用することができる。また、充電することによって繰り返し利用可能な充電式電池をバッテリー１１として利用することも好ましい。バッテリー１１が発生する電力は電源回路１５によって安定化され、操作デバイス１の各部に供給される。なお、これらのバッテリー１１及び電源回路１５が「電力発生源」に対応する。
【００２８】
操作部１２は、例えば複数の押しボタンを含んでおり、操作デバイス１の筐体の所定位置に設けられている（図１参照）。利用者は操作部１２を用いて動作指示を入力することができる。動作指示とは、例えば表示体１に表示される画像のページ送り、ページ戻しなどの指示である。
【００２９】
コントローラ１６は、操作部１２を用いて入力された動作指示の内容に対応するコマンドを生成し、送信回路１７へ出力する。コマンドは、例えば８ビットのデータである。また、コントローラ１６は、電源回路１５から出力される電力を受け取り、これを送信回路１７へ出力する。
【００３０】
送信回路１７は、コントローラ１６から入力されたコマンドおよび電力を受け取り、これらを電磁波として送信するための信号を生成する。この送信回路１７から出力される信号に基づいて、コマンドおよび電力に対応する電磁波がアンテナ１３から外部へ発信される。図４は、アンテナ１３から発信される電磁波の一例を模式的に示す図である。図４に示す例では、ＡＳＫ変調方式により、所定周波数の搬送波（キャリア）に対してコマンド（一例として８ビットデータ）が重畳された電磁波が示されている。この搬送波によって電力が伝送され、重畳されたコマンドについては表示部２で復調される。コマンドの一例を図５に示す。なお、電力とコマンドとが個別に送信されてもよい。
【００３１】
復調回路１８は、送信回路１７からアンテナ１３を介して送信された電力およびコマンドの受信状況（ＡＣＫ）を含んだ電磁波が表示体２から発信され、アンテナ１３によって受信された場合に、当該電磁波の受信信号を復調してＡＣＫを検出し、コントローラ１６へ出力する。
【００３２】
図３は、表示体２の詳細構成を示すブロック図である。図３に示すように、表示体２は、パネル２１、アンテナ２２、電源回路２４、復調回路２５、コントローラ２６、ドライバ２７、不揮発性メモリ２８、ページメモリ２９、送信回路３０、外部インタフェース（Ｉ／Ｆ）３１を含んで構成されている。電源回路２４、復調回路２５、コントローラ２６、ドライバ２７及び送信回路３０が上述した制御回路２３に対応する。
【００３３】
パネル２１は、複数の電気泳動素子を有する電気泳動パネルであり、ドライバ２７から供給される駆動信号に応じて画像を表示する。複数の電気光学素子は、例えばマトリクス状に配列されている。
【００３４】
電源回路２４は、アンテナ２２によって受信された電磁波を用いて電力を生成し、表示体２の各部へ電力供給を行う。具体的には、電源回路２４は、上述した搬送波を整流する等によって直流電圧を生成する。本実施形態では、表示体２には電池等の電源供給部が備わっておらず、操作デバイス１から電磁誘導によって供給される電力を用いて表示体２が動作する。
【００３５】
復調回路２５は、アンテナ２２によって受信された電磁波を復調することによって前述したコマンドを抽出し、当該コマンド（図５参照）をコントローラ２６へ出力する。
【００３６】
コントローラ２６は、画像信号処理回路およびタイミングジェネレータを含んでいる。画像信号処理回路は、不揮発性メモリ２８に蓄積されたデータに基づいて画像データを生成し、ドライバ２７へ出力する。タイミングジェネレータは、リセット設定や画像データが画像信号処理回路から出力されるときに、ドライバ２７を制御するための各種タイミング信号を生成する。
【００３７】
ドライバ２７は、パネル２１に画像を表示させるための駆動信号を生成し、パネル２１に供給する。
【００３８】
不揮発性メモリ２８は、電源供給の有無によらずデータ（コンテンツデータ）を蓄積可能なメモリであり、画像表示に必要なデータを格納する。不揮発性メモリ２８へのデータの書き込みや消去は、例えば外部インタフェース３１を介して接続された外部機器（例えばパーソナルコンピュータ等）によって実行される。不揮発性メモリ２８は、着脱自在に構成されてもよい。
【００３９】
ページメモリ２９は、現在表示されているページを示すアドレスデータを格納する。コマンドを受信したコントローラ２６は、このページメモリ２９からアドレスデータを読み出し、これに基づいて次ページあるいは前ページの画像を表示するためのデータを不揮発性メモリ２８から読み出す。
【００４０】
送信回路３０は、操作デバイス１から送信された電力およびコマンドの受信状況（ＡＣＫ）を含んだ電磁波を発信するための信号を生成する。この送信回路３０によって生成された信号に基づいてアンテナ２２から受信状況（ＡＣＫ）を含んだ電磁波が発信される。
【００４１】
外部インタフェース（Ｉ／Ｆ）３１は、例えば図示しない外部のパーソナルコンピュータ等と表示体２との間をデータ通信可能に接続するために用いられるものである。この外部インタフェース３１を介して外部のパーソナルコンピュータ等から表示体２の不揮発性メモリ２８に電子書籍等のコンテンツデータを書き込むことができる。
【００４２】
以上に説明した本実施形態の表示装置によれば、操作デバイスを表示体のアンテナ付近へ近づけた状態で操作部を用いて操作を行うことにより、操作デバイスから表示体へ向けてコマンドと電力が供給される。それにより、表示体には電池等の電源発生部を設ける必要がなく、表示体を薄型、軽量に構成することが可能となる。また、表示体のメモリに画像表示のためのデータを予め蓄積しておき、操作デバイスからは極少ないデータ量（例えば数ビット）で済むコマンドを送信して画像の表示内容をコントロールする構成としているので、高出力かつ高速な無線通信を用いずとも短時間で表示内容の切り替えを実行することが可能となる。以上のことから、薄型で携帯性に優れたペーパーライクな表示装置が実現される。
【００４３】
なお、上述した実施形態では、パネル２１の一例として電気泳動パネルを示したが、他には、例えば液晶パネル、ＥＬパネル等を採用し得る。後述する第２の実施形態においても同様である。
【００４４】
（第２の実施形態）
以下に、本発明に係る第２の実施形態の表示装置について説明する。第２の実施形態の表示装置の全体的な構成については第１の実施形態と同様であり（図１参照）、ここでは説明を省略する。第１の実施形態との主な相違点は、第２の実施形態の表示装置では操作デバイス側からは電力のみが送信され、動作指示については表示体側に設けられた操作部を用いて入力される点である。
【００４５】
図６は、第２の実施形態の表示装置に含まれる操作デバイスの詳細構成を示すブロック図である。図６に示すように、操作デバイス１ａは、バッテリー１１、アンテナ１３、電源回路１５、コントローラ１６、送信回路１７、検出部１９を含んで構成されている。電源回路１５、コントローラ１６、送信回路１７が上述した制御回路（図１参照）に対応する。検出部１９以外の構成については第１の実施形態に係る操作デバイス１と同様であるため、ここでは共通する構成についての詳細な説明を省略する。
【００４６】
検出部１９は、棒状体である操作デバイス１ａの一端に設けられており、操作デバイス１ａの一端が他の物体へ接触したことを検出する。この検出部１９は、例えば押しボタンスイッチであり、操作デバイス１ａの一端側を他の物体に軽く押し当てることによって作動する。この検出部１９によって接触が検出された場合に、送信回路１７によって電力を送信するための信号が生成され、当該信号に基づいてアンテナ１３から電磁波が発信される。
【００４７】
なお、このような検出部１９を設けず、その代わりに電力送信用スイッチ等の操作部を操作デバイス１ａに設けておき、当該操作部が操作されたことをトリガとして電力を送信してもよい。また、電力を供給するための電磁波を定常的に発信するように構成してもよい。検出部１９を設けたほうが、利用者が容易かつ自然な操作をトリガにして電力を送信できる利点と、電力を定常的に発信する場合に比べて消費電力を低減できる利点があるためより好ましい。
【００４８】
図７は、第２の実施形態の表示装置に含まれる表示体の詳細構成を示すブロック図である。図７に示すように、表示体２ａは、パネル２１、アンテナ２２、電源回路２４、コントローラ２６、ドライバ２７、不揮発性メモリ２８、ページメモリ２９、送信回路３０、外部インタフェース（Ｉ／Ｆ）３１、操作部（ＵＩボタン）３２を含んで構成されている。電源回路２４、コントローラ２６、ドライバ２７及び送信回路３０が上述した制御回路（図１参照）に対応する。復調回路２５が省略され、操作部３２が追加された以外については第１の実施形態に係る表示体２と同様であるため、ここでは共通する構成についての詳細な説明を省略する。
【００４９】
操作部３２は、例えば複数の押しボタンを含んでおり、表示体２ａの筐体の所定位置に設けられている。利用者は、操作デバイス１ａを用いて操作部３２を押下することにより動作指示を入力することができる。動作指示とは、例えば表示体２ａに表示される画像のページ送り、ページ戻しなどの指示である。
【００５０】
図８は、操作部３２の配置状態の一例を示す模式平面図である。図８には、表示体２ａの筐体の一部が拡大して示されている。また、図９は、図８に示すＸ−Ｘ線に対応する模式断面図である。図８および図９に示すように、操作部３２は、少なくとも一部が平面視においてアンテナ２２と重なるように配置されている。このように、操作部３２とアンテナ２２とを重畳して配置することにより、図９に示すように、利用者が電力供給について特に意識せずとも、操作デバイス１ａを用いて操作部３２を押下することにより必然的に操作デバイス１ａが表示体２ａのアンテナ２２に近づくので、電力を効率的に供給することができる。また、操作部３２を押下する動作が操作デバイス１ａの検出部１９によって検出され、これに伴って電力が供給されるので、無駄な電力供給（すなわち操作デバイス１ａからの電磁波の発信）を回避することができる。操作部３２の直下には、操作部３２が押下された場合に電気的な接続状態が変化するような図示しない配線が配置されている。この配線としては、例えば操作部３２の押下により電気的な導通が行われるスイッチを含む配線を用いることができる。当該配線は、コントローラ２６に接続されており、コントローラ２６に、操作部３２の押下に伴う信号を供給する。コントローラ２６は、この信号に基づいて、ドライバ２７を制御する。これにより、パネル２１における表示の書き換えが実行される。
【００５１】
以上に説明したように本実施形態の表示装置によれば、利用者が操作デバイスを用いて表示体の操作部を押下する等の操作を行うことに伴い、利用者が特に意識しなくとも、操作デバイスを表示体の第２アンテナ付近へ近づけた状態で操作デバイスから表示体へ向けて電力が供給される。それにより、表示体には電池等の電源発生部を設ける必要がなく、表示体を薄型、軽量に構成することが可能となる。また、表示体のメモリに画像表示のためのデータを予め蓄積しておき、操作部を用いて入力された指示入力に応じて画像の表示内容をコントロールする構成としているので、高出力かつ高速な無線通信を用いずとも短時間で表示内容の切り替えを実行することが可能となる。以上のことから、本発明によれば薄型で携帯性に優れたペーパーライクな表示装置を提供することが可能となる。
【図面の簡単な説明】
【００５２】
【図１】第１の実施形態の表示装置の全体構成を示す模式図である。
【図２】第１の実施形態の操作デバイスの詳細構成を示すブロック図である。
【図３】第１の実施形態の表示体の詳細構成を示すブロック図である。
【図４】アンテナから発信される電磁波の一例を模式的に示す図である。
【図５】コマンドの一例を示す図である。
【図６】第２の実施形態の操作デバイスの詳細構成を示すブロック図である。
【図７】第２の実施形態の表示体の詳細構成を示すブロック図である。
【図８】操作部の配置状態の一例を示す模式平面図である。
【図９】図８に示すＸ−Ｘ線に対応する模式断面図である。
【符号の説明】
【００５３】
１、１ａ…操作デバイス、２、２ａ…表示体、１１…バッテリー、１２…操作部（ＵＩボタン）、１３…アンテナ、１４…制御回路、１５…電源回路、１６…コントローラ、１７…送信回路、１８…復調回路、１９…検出部、２１…パネル、２２…アンテナ、２３…制御回路、２４…電源回路、２５…復調回路、２６…コントローラ、２７…ドライバ、２８…不揮発性メモリ、２９…ページメモリ、３０…送信回路、３１…外部インタフェース（Ｉ／Ｆ）、３２…操作部、１００…表示装置
【図１】
2010033146.tif 000003
【図２】
2010033146.tif 000004
【図３】
2010033146.tif 000005
【図４】
2010033146.tif 000006
【図５】
2010033146.tif 000007
【図６】
2010033146.tif 000008
【図７】
2010033146.tif 000009
【図８】
2010033146.tif 000010
【図９】
2010033146.tif 000011